(57)【要約】【課題】球誘導装置の跳躍レールの高さを変化させる偏心カムを故意に回転停止させる状態が生じた場合に遊技者に警告を与えることができるパチンコ機を提供すること。【解決手段】入球口から流入した遊技球が跳躍部で跳躍してステージの受け口２８，２９に流入可能とされた球誘導装置２５を備えたパチンコ機において、跳躍部は、入球口３５の出口からステージ２７に向かって延びる跳躍レール４６とし、同跳躍レールの下流側の高さを偏心カム４９によって可変自在に設け、偏心カム４９の回転を検知する検出手段５１と、偏心カムの１回転に要する時間を計測する回転時間計測手段と、回転時間計測手段によって計測された時間の値を記憶する回転時間記憶部と、回転時間記憶部に記憶された時間の値と検出手段５１からの回転確認信号とにより不正行為の有無を判定する判定制御部と、判定制御部からの不正報知命令信号によって警告を発する報知手段とを備えた。【選択図】図３
2010099147.tif 000002
【特許請求の範囲】
【請求項１】
遊技領域に打ち込まれて入球口から流入した遊技球が、跳躍部により跳躍してステージに設けた受け口に流入可能とされた球誘導装置を備えたパチンコ機において、
前記跳躍部は、入球口の出口から前記ステージに向かって延びる所定長さの跳躍レールとされていて、同跳躍レールの下流側の高さをモータ装置により駆動回転する偏心カムによって可変自在に設けられ、
前記偏心カムの回転作動を検知する検出手段と、その偏心カムの１回転に要する時間を計測する回転時間計測手段と、その回転時間計測手段によって計測された時間の値を記憶する電子制御部に設けられる回転時間記憶部と、その回転時間記憶部に記憶された時間の値と前記検出手段からの回転確認信号とにより不正行為の有無を判定する電子制御部に設けられる判定制御部と、その判定制御部からの不正報知命令信号によって警告を発する報知手段とを備えたことを特徴とするパチンコ機。
【請求項２】
フォトインタラプタにより計測される前記モータ装置の回転数から前記偏心カムの１回転に要した時間に換算した値を、前記回転時間計測手段によって計測された値として前記回転時間記憶部に記憶させるように構成したことを特徴とする請求項１に記載のパチンコ機。
【発明の詳細な説明】
【技術分野】
【０００１】
本発明は、球誘導装置の入球口から流入した遊技球が跳躍部で跳躍してステージの受け口に流入可能とされたパチンコ機における不正行為の防止に関する。
【背景技術】
【０００２】
一般的なパチンコ機は、遊技盤の遊技領域に通過ゲート、普通図柄表示器及び特別図柄表示器を備えた図柄表示装置、始動口及び大入賞口等を設け、遊技領域に打ち込まれた遊技球が通過ゲートを通過することにより「当たり」か「ハズレ」かの抽選を行なって普通図柄表示器にその結果を表示し、「当たり」であれば始動口の開閉羽根を一定時間に限り２回程度開放して遊技球が入賞し易い状態とし、その開放状態の始動口に遊技球が入賞することにより特別図柄表示器を作動させ、その特別図柄表示器に特定図柄が表示されて停止すると「大当たり」と言われる特別遊技状態が発生して大入賞口が遊技球を受け入れる開放状態とされ、所定条件に基づいてその開放状態が所定回数だけ繰り返されることにより多量の景品球を放出する構造とされている。
【０００３】
かかるパチンコ機の図柄表示装置の前面側には、同装置の天部や側部上方等に配置される入球口から流入した遊技球がワープ通路により下方に誘導されて転動することができるステージを設けることが知られている。例えば、特許文献１には、図柄表示装置の前面側に設けられたステージに、ワープ通路を流下してくる遊技球を跳躍させる山形の跳躍部及び跳躍した遊技球が着地する着地領域を設け、遊技球の始動口への入賞を容易とする受入孔を備えた移動部材を着地領域に移動自在としたパチンコ遊技機が開示されている。
【０００４】
上記パチンコ遊技機では、跳躍部によって跳躍した遊技球が受入孔に入り易くなるように、故意に移動部材の位置を固定させる不正行為が行なわれることが想定される。しかし、遊技球がステージ上で跳躍して受入孔に流入する形式の誘導装置において、その類の不正行為を防止する対策は採られていないようである。
【０００５】
なお、従来のパチンコ機に採用されている不正行為防止対策の一例として、特許文献２に記載されたパチンコゲーム機がある。このパチンコゲーム機では、大入賞口を開閉する開閉扉を不当に開ける不正行為が行なわれた場合に、その状態を確認して遊技者に警告を与えることができるとされている。
【特許文献１】特開２００５−１０２８２４号公報
【特許文献２】特開平９−２２０３３１号公報
【発明の開示】
【発明が解決しようとする課題】
【０００６】
本発明の目的は、球誘導装置の跳躍レールの高さを変化させる偏心カムを故意に回転停止させる状態が生じた場合に遊技者に警告を与えることができるパチンコ機を提供することにある。
【課題を解決するための手段】
【０００７】
前記目的を達成するために請求項１に記載した発明は、遊技領域に打ち込まれて入球口から流入した遊技球が、跳躍部により跳躍してステージに設けた受け口に流入可能とされた球誘導装置を備えたパチンコ機において、
前記跳躍部は、入球口の出口から前記ステージに向かって延びる所定長さの跳躍レールとされていて、同跳躍レールの下流側の高さをモータ装置により駆動回転する偏心カムによって可変自在に設けられ、前記偏心カムの回転作動を検知する検出手段と、その偏心カムの１回転に要する時間を計測する回転時間計測手段と、その回転時間計測手段によって計測された時間の値を記憶する電子制御部に設けられる回転時間記憶部と、その回転時間記憶部に記憶された時間の値と前記検出手段からの回転確認信号とにより不正行為の有無を判定する電子制御部に設けられる判定制御部と、その判定制御部からの不正報知命令信号によって警告を発する報知手段とを備えたことを特徴とする。
【０００８】
同様の目的を達成するために請求項２に記載した発明は、請求項１に記載のパチンコ機において、フォトインタラプタにより計測される前記モータ装置の回転数から前記偏心カムの１回転に要した時間に換算した値を、前記回転時間計測手段によって計測された値として前記回転時間記憶部に記憶されるように構成したことを特徴とするものである。
【発明の効果】
【０００９】
このパチンコ機は、球誘導装置の跳躍レールの高さを変化させる偏心カムを故意に停止させて受け口へ遊技球が流入する機会を高める不正行為に対し、ランプの点灯・音声等の報知手段により遊技者に警告を与えることができると共に不正行為の防止に寄与する。
【００１０】
また、球誘導装置の電子制御に関して、フォトインタラプタにより計測したモータ装置の回転数から偏心カムの１回転に要した時間に換算した値を、回転時間計測手段によって計測された値として回転時間記憶部に記憶させるように構成することにより、偏心カムの周囲のスペースが少ない場合に回転時間計測手段をモータ装置側に設けることができるので当該装置の設計の自由度が高くなる。
【発明を実施するための最良の形態】
【００１１】
以下に、本発明の最良の形態例を図面に基づいて説明する。図１は本発明に係るパチンコ機の正面図、図２は装飾枠に設けられた球誘導装置の斜視図、図３は球誘導装置を模式的に示す正面図、図４は球誘導装置の平面図、図５はパチンコ機の電子制御部のブロック図、図６は球誘導装置における不正報知処理の順序を示すフローチャートである。
【００１２】
はじめに、本発明に係るパチンコ機ｐの概要構成を説明する。
図１において、このパチンコ機ｐには、長方形の外枠１の前面側に、遊技盤８を臨むための窓穴部３を形成した前枠２が左側部を軸支されて開閉自在に設けられている。前枠２の正面側には、図示しない貨玉装置からの遊技球や賞球が供給される受け皿ユニット４、装飾ランプ５ａ，５ｂ、遊技球発射装置（図示せず）の発射ハンドル６等が設けられている。遊技盤８の誘導レール９ａ，９ｂによって囲まれる遊技領域１０には、通過ゲート１１、普通入賞口１２、液晶表示部１３、始動口１４、大入賞口１５及びアウト球口１６等が設けられている。また、遊技領域１０の外側には、液晶表示部１３と連係する普通図柄表示器１７と特別図柄表示器１８が設けられている。
【００１３】
しかして、このパチンコ機ｐは、遊技領域１０に打ち込まれた遊技球が通過ゲート１１を通過することにより「当たり」か「ハズレ」かの抽選を行なって普通図柄表示器１７にその結果を表示し、「当たり」であれば始動口１４の一対の開閉羽根を一定時間（例えば、２秒間）に限り２回開放して遊技球が入賞し易い状態とし、その開閉羽根の開放状態にある始動口１４に遊技球が入賞することにより特別図柄表示器１８及び液晶表示部１３を作動させ、その特別図柄表示器１８に特定図柄が表示されて停止すれば「大当たり」と言われる特別遊技状態が発生し、これと連係して液晶表示部１３にも所定の装飾図柄が横並びに三つ揃って表示され（例えば、「７，７，７」）、ついで、大入賞口１５が遊技球を受け入れる開放状態とされ、所定条件に基づきその開放状態が所定回数（例えば、１５回）を繰り返されることにより多量の景品球を放出するような構造とされている。
【００１４】
（球誘導装置２５）
つぎに、球誘導装置２５を備えた装飾枠２０を図２に示す。
この装飾枠２０は、遊技盤８の盤面に固定される基板２１の中央に、前記液晶表示部１３を臨ませる横長の四角い窓２２が形成されるように周壁部２１ａを一体に設け、基板２１の左上方から右側方に至る間のほぼ円弧形状の周縁部２１ｂに遊技球が転動可能なレール部２１ｃを一体に設けている。２３は基板２１の適宜箇所に設けた取付け穴である。
【００１５】
球誘導装置２５には、装飾枠２０の周壁部２１ａの下辺の右寄り箇所に第１ステージ２７を形成している。そのステージ２７の前端２７ａ寄りには、遊技球が流入可能な上向きの２つの受け口２８，２９を左右方向（後記跳躍レール４６の延長方向）に並設している。前方の受け口２８の高さは、後方の受け口２９よりも少し低く設けられ、遊技球が受け口２８に入れば、前記通過ゲート１１に遊技球が入賞したときの効果と同一効果を得られるように設けられている。また、後方の受け口２９へ入れば、前記始動口１４に遊技球が入賞する機会が得られるように設けられている。
【００１６】
３０は正面から見て左右に延びる緩やかな波形に形成された第２ステージ３１と、後方の受け口２９に連通可能な排出口３２とを備えたステージ部材である。このステージ部材３０は、第１ステージ２７の前端２７ａに隣接して配置されているが、基板２１の前面から突出しないように設けられている。ステージ部材３０の排出口３２の下方には、始動口１４が配置されている（図１）。
【００１７】
基板２１の左側上部に前方へ突出するように形成されたランプ形の入球部３４には、入球口３５を設けている。この入球口３５に流入した遊技球は、入球部３４に連接されたワープ通路３６を通って後述する跳躍レール４６に誘導されるように設けられている。
【００１８】
図３において、機台４１には、第１ステージ２７と２つの受け口２８，２９を右端寄りに配置し、第１ステージ２７の奥に設けた立て壁部４２の前側にワープ通路３６を設けている。４６はワープ通路３６の出口３７と第１ステージ２７との間に配置された所定長さの跳躍レールである。跳躍レール４６は、厚さ０．２mm程度の薄板バネ材からなり、ワープ通路３６の出口３７の下部に設けられた保持部４４にL字形に形成した一端４６ａを挿し込んで固定され、一端４６ａ側の折返し部４６ｂをピン４５によって水平よりもやや下向きに保持されている。
【００１９】
４８は跳躍レール４６の自由端４６ｃの高さを連続的に可変自在とする昇降手段の駆動源としてのモータ装置である。図４に示すように、モータ装置４８は立て壁部４２の裏側に取り付けられ、その出力軸４８ａは立て壁部４２の表側に突出されている。出力軸４８ａに固定された偏心カム４９は、跳躍レール４６を中央部に向かって低くなるように凹円弧形に湾曲させた状態で同跳躍レール４６の下面に接触させて支持するように設けられている。５０は跳躍レール４６の自由端４６ｃが最も低い位置の状態にあるときに当該自由端４６ｃを受け止めるピンである。
【００２０】
偏心カム４９の回転作動については、検出手段５１により検知される。検出手段５１は、カムプレート５２をモータ装置４８の出力軸４８ａの前端部に固定し、カムプレート５２の周面にリミットスイッチ５３のレバー５３ａの先端を接触させるように設けている（図３）。そして、偏心カム４９と一緒に回転するカムプレート５２がレバー５３ａを押してスイッチをオン動作させることにより、偏心カム４９の回転作動が検知されるように設けられている。
【００２１】
５６は多数の穴が一定角度間隔で周設されたフォトインタラプタ５５の円板５６である。図４に示すように、その円板５６は、モータ装置４８の出力軸４８ａの後端部に固定されている。５７はフォトインタラプタ５５の本体部である。
【００２２】
つぎに、本発明に係るパチンコ機ｐの電子制御部について説明する。
図５に示すように、電子制御部は、ハード及びソフトウェアーの制御を司る基本回路が設けられたメイン制御基板７０と、同制御基板７０にインターフェースを介して接続されたサブ制御基板８０とからなる。メイン制御基板７０は、中央処理装置（ＣＰＵ）、その中央処理装置が実行する各種乱数発生手段・大当たり処理制御等の各種制御プログラム等を記憶させたメモリー（ＲＯＭ）、中央処理装置が制御プログラムを実行するときにメモリー（ＲＯＭ）から読み出される内容等を一時的に記憶させるためのメモリー（ＲＡＭ）、フォトインタラプタ５５により計測されるモータ装置４８の回転数から偏心カム４９の１回転に要した時間に換算した値を、回転時間計測手段によって計測された回転時間の値として記憶する回転時間記憶部と、その回転時間記憶部に記憶された回転時間の値とリミットスイッチ５３からの回転確認信号とにより不正行為の有無を判定する判定制御部などから構成されている。
【００２３】
メイン制御基板７０には、前記始動口１４に入賞した遊技球を検出する始動スイッチ７３と、大入賞口１５への入賞球を計数するカウントスイッチ７４と、その大入賞口１５内に設けられた継続入賞口への入賞球を検出する特定領域スイッチ７５、始動口１４の開閉羽根を作動させるソレノイド７６と、大入賞口１５の開閉扉１５ａを開閉作動させるソレノイド７７、球誘導装置２５のモータ装置４８等がインターフェース（図示せず）を介して接続されている。
【００２４】
また、サブ制御基板８０には、液晶表示部１３を制御する画像制御基板８５、スピーカ９１等を制御する音声制御基板９０、報知ランプ９６・装飾ランプ・サイドランプ等を制御するランプ制御基板９５から構成されている。それらの制御基板には、中央処理装置（ＣＰＵ）やメモリー（ＲＯＭ，ＲＡＭ）を夫々備えており、図柄表示、点灯報知等の遊技に伴う処理制御を適時に行うように設けられている。
【００２５】
要するに、球誘導装置２５の不正処理に関する電子制御については、モータ装置４８の回転数を計測するフォトインタラプタ５５と、フォトインタラプタ５５により計測された回転数から偏心カム４９の１回転に要した時間に換算された値Ｙを記憶する回転時間記憶部と、回転時間記憶部に記憶された時間の値Ｙとリミットスイッチ５３からの回転確認信号とにより不正行為の有無を判定する判定制御部と、判定制御部からの不正報知命令信号によって警告を発する報知手段としての報知ランプ９６等により構成されている。
【００２６】
つぎに、本発明に係るパチンコ機の球誘導装置における作用について説明する。
（正常な遊技の場合）
（１）遊技者により遊技領域１０に打ち込まれた遊技球ｘが遊技盤８に設置された障害釘（図示せず）により落下方向を変えつつ球誘導装置２５の入球口３５に流入すると、遊技球ｘはワープ通路３６を通って跳躍レール４６に導かれる。跳躍レール４６の自由端４６ｃの高さは、モータ装置４８の駆動により偏心カム４９が回転しているので高くなったり低くなったり変化している。
（２）跳躍レール４６を転動した遊技球ｘは、同レール４６から飛び出して第１ステージ２７に着地する、或いは前方の受け口２８又は後方の受け口２９に直接入る。第１ステージ２７に着地した遊技球ｘは、受け口２８に入るチャンスが少ないので、第１ステージ２７から第２ステージ３１に転動して遊技領域１０に落下する。
（３）受け口２８に入った遊技球ｘは、第１ステージ２７の内部を通って後方へ排出される。遊技球ｘの通過が図示しない検出スイッチにより確認される。そして、前述した通過ゲート１１に遊技球が入賞したときの作用効果と同様、「当たり」か「ハズレ」かの抽選が行なわれ、「当たり」であれば始動口１４の一対の開閉羽根が一定時間だけ開放される。
（４）他方、受け口２９に入った遊技球ｘは、排出口３２から遊技領域１０に落下して始動口１４に入る。そして、始動口１４への入賞により、前述した特別図柄表示部１８及び液晶表示部１３の変動表示がスタートする。
【００２７】
（不正行為時の処理）
球誘導装置２５における不正行為発生時の処理について、図６のフローチャートにより説明する。
前述したように不正行為とは、球誘導装置２５の跳躍レール４６の高さを変化させる偏心カム４９を故意に停止させて受け口２８，２９へ遊技球が流入する機会を高めることをいう。
【００２８】
（１）球誘導装置２５の偏心カム４９の１回転に要する時間は、フォトインタラプタ５５を利用して計測される（Ｓ１０１）。詳しくは、偏心カム４９の回転時間を直接計測するのではなく、フォトインタラプタ５５によりモータ装置４８の出力軸４８ａの回転数を計測し、その回転数から偏心カム４９の１回転に要した時間の値Ｙをメイン制御基板７０にて演算するように制御される。
（２）偏心カム４９の回転時間の値Ｙがメイン制御基板７０の回転時間記憶部に記憶される（Ｓ１０２）。
（３）判定制御部において、回転時間記憶部に記憶された値Ｙが３秒か否かが判定される（Ｓ１０３）。値Ｙが３秒であって（Ｓ１０３，Ｙｅｓ）、リミットスイッチ５３から偏心カム４９の回転確認信号の入力があれば（Ｓ１０４，Ｙｅｓ）、球誘導装置２５は正常に作動していることになる。そして、回転時間記憶部に記憶された値Ｙがクリアされ（Ｓ１０５）、最初のステップ（Ｓ１０１）に戻る。
なお、値Ｙの３秒というのは、偏心カム４９の正常時における１回転に要する時間である。
（４）Ｓ１０３において、回転時間記憶部に記憶された値Ｙが３秒でなければ（Ｓ１０３，Ｎｏ）、引き続きフォトインタラプタ５５による計測が行なわれる。
（５）Ｓ１０４において、リミットスイッチ５３から偏心カム４９の回転確認信号がない場合には（Ｓ１０４，Ｎｏ）、モータ装置４８の駆動が不正行為や故障等により停止していることになり、判定制御部からの不正報知命令信号がランプ制御基板９５に送信され（Ｓ１０６）、報知ランプ９６が点灯する。なお、不正行為状態が解除されてモータ装置４８が正常作動に復帰すれば、最初のステップ（Ｓ１０１）に戻る処理が行なわれる。
【図面の簡単な説明】
【００２９】
【図１】本発明に係るパチンコ機の正面図
【図２】装飾枠に設けられた球誘導装置の斜視図
【図３】球誘導装置を模式的に示す正面図
【図４】球誘導装置の平面図
【図５】パチンコ機の電子制御部のブロック図
【図６】球誘導装置における不正報知処理の順序を示すフローチャート
【符号の説明】
【００３０】
ｐ・・・パチンコ機
１０・・・遊技領域
２５・・・球誘導装置
２７・・・第１ステージ（ステージ）
２８，２９・・・受け口
３５・・・入球口
４６・・・跳躍レール
４８・・・モータ装置
４９・・・偏心カム
５１・・・検出手段
５５・・・フォトインタラプタ
７０・・・メイン制御基板
【図１】
2010099147.tif 000003
【図２】
2010099147.tif 000004
【図３】
2010099147.tif 000005
【図４】
2010099147.tif 000006
【図５】
2010099147.tif 000007
【図６】
2010099147.tif 000008